(57)【要約】      （修正有）【課題】ウェブ包装袋を構成するウェブの枚数が少なくなってもカバー体の開口部からウェブを容易に取り出すことが可能であり、ウェブ包装袋がカバー本体内で動く虞を抑制することの可能なウェブ包装袋の保持構造を提供する。【解決手段】カバー体３は、ウェブ包装袋２を差し入れ可能な差入部１７を備えるとともに、差入部１７に対してウェブ包装袋２の差し入れ方向前方側に差入口１８よりも小さな開口部１４を形成しており、ウェブ包装袋２は、包装袋本体４よりも堅硬に形成された取出口形成部材８とを備えており、取出口形成部材８が、包装袋開口部７に取出口５を向かい合わせて包装袋本体４に固定されている。保持構造には、向合い部２１が形成されており、向合い部２１の少なくとも一部においてウェブ包装袋２とカバー本体１３とが接触しており、且つ、ウェブ包装袋２とカバー本体１３とを相互に固定する固定構造が向合い部２１に形成されている。【選択図】図２
2014094768.tif 000002
【特許請求の範囲】
【請求項１】
ウェブ重畳体を包装袋本体内に収納可能に構成されウェブを取り出し可能な取出口を所定の位置に備えたウェブ包装袋を、ウェブ包装袋の包装袋本体よりも堅硬に形成されたカバー本体を備えたカバー体に保持するウェブ包装袋の保持構造であって、
カバー体は、カバー本体の所定位置にウェブ包装袋を差し入れ可能な差入口を開口形成してなる差入部を備えるとともに、差入部に対してウェブ包装袋の差し入れ方向前方側に差入口よりも小さな開口部を形成しており、
ウェブ包装袋は、包装袋本体と、取出口を形成されており包装袋本体よりも堅硬に形成された取出口形成部材とを備えており、
且つ、ウェブ包装袋には、包装袋本体の所定の領域を開口させて包装袋開口部が形成され、取出口形成部材が、包装袋開口部に取出口を向かい合わせて包装袋本体に固定されており、
取出口形成部材の取出口をカバー本体の開口部から臨ませるようにウェブ包装袋がカバー本体に差し入れられるとともに取出口形成部材とカバー本体とが向かい合わされて向合い部が形成されており、
向合い部の少なくとも一部においてウェブ包装袋とカバー本体とが接触しており、
且つ、ウェブ包装袋とカバー本体とを相互に固定する固定構造が向合い部に形成されている、ことを特徴とするウェブ包装袋の保持構造。
【請求項２】
ウェブ包装袋には、取出口形成部材の所定位置且つ向合い部に対応する部分の所定位置に、突片が外方に向かって突設され且つカバー本体の開口部の縁に対して嵌合可能に形成されており、
固定構造は、突片をカバー本体の開口部の縁に嵌合してウェブ包装袋をカバー本体に係止してなる嵌合構造を備える、請求項１に記載のウェブ包装袋の保持構造。
【請求項３】
ウェブ包装袋には、取出口形成部材の所定位置且つ向合い部に対応する部分の所定位置に、鉤片が外方に向かって突設されており、
固定構造は、鉤片をカバー本体の開口部の縁に掛けてウェブ包装袋をカバー本体に係止してなる係止構造を備える、請求項１または２に記載のウェブ包装袋の保持構造。
【請求項４】
固定構造は、ウェブ包装袋とカバー本体とを互いに接着して接着部を形成してなる接着構造を備える、請求項１から３のいずれかに記載のウェブ包装袋の保持構造。
【請求項５】
ウェブ包装袋には、向合い部に対応する部分の所定位置にボスが外方に向かって突設されており、
且つ、カバー本体には、ウェブ包装袋のボスに向かい合わせとなる位置に通孔が形成されており、
固定構造は、カバー本体の通孔にボスを貫通させるとともにボスの先端をかしめてウェブ包装袋をカバー本体に対してかしめ止めしてなるかしめ構造を備える、請求項１から４のいずれかに記載のウェブ包装袋の保持構造。
【請求項６】
ウェブは、ウェットティッシュである、請求項１から５のいずれかに記載のウェブ包装袋の保持構造。
【請求項７】
カバー本体は、光透過性を有する、請求項１から６のいずれかに記載のウェブ包装袋の保持構造。
【発明の詳細な説明】
【技術分野】
【０００１】
本発明は、ウェブ包装袋の保持構造に関する。
【背景技術】
【０００２】
ウェットティッシュ等といったウェブを重畳してなるウェブ重畳体を柔軟な袋体に収納したウェブ包装袋は、所定位置に取出口を設けられており、取出口からウェブを１枚ずつ取り出すことができるように構成されている。ウェブ包装袋には、通常、取出口を被覆可能な蓋が取りつけられており、取出口からの塵や埃の浸入を抑制できるような構成が存在している。特に、ウェブがウェットティッシュである場合には、ウェットティッシュの乾燥を抑制することが重要な課題であり、このような課題からも、取出口に蓋等が好適に取りつけられる。ところが、ウェブ包装袋においては、袋体が柔軟に形成されていることから、蓋を閉じる際に蓋と袋体との間に隙間が生じやすくなって、袋体内を密閉状態にすることが困難となる虞がある。
【０００３】
そこで、開口部を設けた容器内にウェブ包装袋を収容して開口部からウェブを１枚ずつ取り出すことが、提案されている。例えば、ウェットティッシュの重畳体を袋体である封入袋内に収容したウェットティッシュ包装体を密閉容器内に収容して、密閉容器の上面部に設けたウェットティッシュ取出口から封入袋内のウェットティッシュを１枚ずつ取り出し可能とすることが提案されている。
【０００４】
しかしながら、上記したようなウェットティッシュ包装体は、通常、密閉容器内に単に収容されるに留まるため、袋体内におけるウェットティッシュの枚数が少なくなると、袋体の嵩が低下する。すると、封入袋の取出口と密閉容器のウェットティッシュ取出口との間に大きな空間ができやすくなり、ウェットティッシュを密閉容器から引出そうとする際にウェットティッシュの引出し方向に沿ってウェットティッシュ包装体全体が密閉容器内で動いてしまい、ウェットティッシュを外部に取り出すことが容易でなくなる虞が生じる。
【０００５】
そこで、特許文献１には、ウェブ包装袋であるウェットティッシュ包装体に、矩形枠とウェットティッシュ取出口の蓋板とを有する型材を取り付け、そのウェットティッシュ包装体を、カバー体となるホルダーで保持することが開示されている。ここにおいて、ホルダーは、上面開口を形成したホルダー本体をカバー本体として備え、且つ、ホルダー本体に矩形枠の左右側縁部をスライド可能に構成されたガイド部を取り付けており、ウェットティッシュ包装体は、矩形枠をホルダーのガイド部にスライド自在に挿入させることでホルダーに取り付けられる。
【先行技術文献】
【特許文献】
【０００６】
【特許文献１】特開２００４−２１０３２７号公報
【発明の概要】
【発明が解決しようとする課題】
【０００７】
特許文献１に記載された技術的思想では、カバー本体となるホルダー本体に対してウェットティッシュ包装体をスライド自在とするべく、ホルダー本体の内面とウェットティッシュ包装体の外面との間にはクリアランスの存在が必要であり、ウェットティッシュ包装体がホルダー本体内で多少動いてしまうという問題点が残る。また、特許文献１に記載されたホルダーであるカバー体では、矩形枠のスライドが自在となるようにガイド部が構成されていることから、ホルダー本体内でスライドさせる方向に沿った方向に対してウェットティッシュ包装体が動きやすいという問題点もある。
【０００８】
本発明は、上記各問題点に鑑み、ウェブ包装袋を構成するウェブの枚数が少なくなってもカバー体の開口部からウェブを容易に取り出すことが可能であるとともに、ウェブ包装袋がカバー本体内で動く虞をより効果的に抑制することの可能なウェブ包装袋の保持構造を提供することを目的とする。
【課題を解決するための手段】
【０００９】
本発明は、（１）ウェブ重畳体を包装袋本体内に収納可能に構成されウェブを取り出し可能な取出口を所定の位置に備えたウェブ包装袋を、ウェブ包装袋の包装袋本体よりも堅硬に形成されたカバー本体を備えたカバー体に保持するウェブ包装袋の保持構造であって、
カバー体は、カバー本体の所定位置にウェブ包装袋を差し入れ可能な差入口を開口形成してなる差入部を備えるとともに、差入部に対してウェブ包装袋の差し入れ方向前方側に差入口よりも小さな開口部を形成しており、
ウェブ包装袋は、包装袋本体と、取出口を形成されており包装袋本体よりも堅硬に形成された取出口形成部材とを備えており、
且つ、ウェブ包装袋には、包装袋本体の所定の領域を開口させて包装袋開口部が形成され、取出口形成部材が、包装袋開口部に取出口を向かい合わせて包装袋本体に固定されており、
取出口形成部材の取出口をカバー本体の開口部から臨ませるようにウェブ包装袋がカバー本体に差し入れられるとともに取出口形成部材とカバー本体とが向かい合わされて向合い部が形成されており、
向合い部の少なくとも一部においてウェブ包装袋とカバー本体とが接触しており、
且つ、ウェブ包装袋とカバー本体とを相互に固定する固定構造が向合い部に形成されている、ことを特徴とするウェブ包装袋の保持構造、
（２）ウェブ包装袋には、取出口形成部材の所定位置且つ向合い部に対応する部分の所定位置に、突片が外方に向かって突設され且つカバー本体の開口部の縁に対して嵌合可能に形成されており、
固定構造は、突片をカバー本体の開口部の縁に嵌合してウェブ包装袋をカバー本体に係止してなる嵌合構造を備える、上記（１）に記載のウェブ包装袋の保持構造、
（３）ウェブ包装袋には、取出口形成部材の所定位置且つ向合い部に対応する部分の所定位置に、鉤片が外方に向かって突設されており、
固定構造は、鉤片をカバー本体の開口部の縁に掛けてウェブ包装袋をカバー本体に係止してなる係止構造を備える、上記（１）または（２）に記載のウェブ包装袋の保持構造、
（４）固定構造は、ウェブ包装袋とカバー本体とを互いに接着して接着部を形成してなる接着構造を備える、上記（１）から（３）のいずれかに記載のウェブ包装袋の保持構造、
（５）ウェブ包装袋には、向合い部に対応する部分の所定位置にボスが外方に向かって突設されており、
且つ、カバー本体には、ウェブ包装袋のボスに向かい合わせとなる位置に通孔が形成されており、
固定構造は、カバー本体の通孔にボスを貫通させるとともにボスの先端をかしめてウェブ包装袋をカバー本体に対してかしめ止めしてなるかしめ構造を備える、上記（１）から（４）のいずれかに記載のウェブ包装袋の保持構造、
（６）ウェブは、ウェットティッシュである、上記（１）から（５）のいずれかに記載のウェブ包装袋の保持構造、
（７）カバー本体は、光透過性を有する、上記（１）から（６）のいずれかに記載のウェブ包装袋の保持構造、を要旨とする。
【発明の効果】
【００１０】
本発明によれば、ウェブ包装袋をカバー体に保持した状態でウェブ包装袋を構成するウェブの枚数が少なくなる等によってウェブ包装袋の嵩が低下してもカバー体の開口部からウェブを容易に取り出せる状態を維持することが可能となるとともに、ウェブ包装袋がカバー本体内で動く虞をより効果的に抑制することができるようになる。
【図面の簡単な説明】
【００１１】
【図１】図１Ａは、本発明の第１実施形態におけるウェブ包装袋の保持構造を有する保持物の実施例の１つを分解して模式的に示す概略分解斜視模式図である。図１Ｂは、本発明の第１実施形態における保持物の状態を模式的に示す概略斜視模式図である。
【図２】図２Ａは、本発明の第１実施形態の一実施例において開口部の上方位置から保持物を見た場合における保持物の状態を模式的に示す概略平面模式図である。図２Ｂは、図２ＡのＩ−Ｉ線縦断面の状態を模式的に示す概略縦断面模式図である。図２Ｃは、図２Ｂの破線で囲まれた領域Ｘ１の部分を拡大した状態を模式的に示す概略拡大模式図である。
【図３】図３Ａは、長尺な原反ウェブに分離予定部が形成されている状態を模式的に示す概略平面模式図である。図３Ｂは、分離予定部を形成した原反ウェブで構成されたウェブ重畳体を模式的に示す概略斜視模式図である。
【図４】図４Ａから図４Ｄは、いずれもウェブ重畳体を構成するウェブの重畳パターンの例を模式的に示す図である。図６Ａは、Ｗ折りを施したウェブを重畳する重畳パターンの例を示す概略斜視模式図であり、図６Ｂは、図６Ａのウェブ重畳体の折線の延びる方向に沿った方向に対応する矢印Ｖ方向を視線方向としてみた場合の概略正面模式図であり、図６Ｃは、Ｗ折りを施したウェブとＺ折りを施したウェブを組み合わせて重畳する重畳パターンの例を示す概略斜視模式図であり、図６Ｄは、図６Ｃのウェブ重畳体の折線の延びる方向に沿った方向に対応する矢印Ｖ方向を視線方向としてみた場合の概略正面模式図である。
【図５】カバー体の他例を模式的に示す概略斜視模式図である。
【図６】本発明の第２実施形態におけるウェブ包装袋の一実施例を模式的に示す概略斜視模式図である。
【図７】図７Ａは、本発明の第２実施形態における保持物の状態を模式的に示す概略斜視模式図である。図７Ｂは、図７ＡのＩＩ−ＩＩ線縦断面の状態を模式的に示す概略縦断面模式図である。図７Ｃは、図６に示すウェブ包装袋を用いて保持構造を形成した保持物の例において図７Ｂの破線で囲まれた領域Ｘ２の部分に対応する部分を拡大した状態を模式的に示す概略拡大模式図である。
【図８】本発明の第３実施形態におけるウェブ包装袋の保持構造を有する保持物の実施例の１つを分解して模式的に示す概略分解斜視模式図である。
【図９】図９Ａは、本発明の第３実施形態において開口部の上方位置から保持物を見た場合における保持物の状態を模式的に示す概略平面模式図である。図９Ｂは、図９ＡのＡ−Ａ線縦断面の一部を拡大して模式的に示す図であり、向合い部に対応する部分の構成を説明するための概略拡大断面模式図である。
【図１０】図１０Ａは、カバー体に蓋体を設けた場合における保持物の実施例の１つを模式的に示す概略斜視模式図である。図１０Ｂは、蓋体を設けたウェブ包装袋の実施例の１つを模式的に示す概略斜視模式図である。図１０Ｃは、図１０Ｂに示すウェブ包装袋をカバー体に保持した保持物の実施例の１つを模式的に示す概略平面模式図である。
【図１１】図１１Ａは、本発明の第１実施形態の他の一実施例において開口部の上方位置から保持物を見た場合における保持物の状態を模式的に示す概略平面模式図である。図１１Ｂは、図１１ＡのＩＩＩ−ＩＩＩ線縦断面の状態を模式的に示す概略縦断面模式図である。図１１Ｃは、図１１Ｂの破線で囲まれた領域Ｘ３の部分を拡大した状態を模式的に示す概略拡大模式図である。
【発明を実施するための形態】
【００１２】
［第１実施形態］
第１実施形態におけるウェブ包装袋２の保持構造について説明する。
【００１３】
［ウェブ包装袋２の保持構造］
ウェブ包装袋２の保持構造は、図１Ａ、図１Ｂ、図２Ａから図２Ｃ等に例示するように、ウェブ包装袋２をカバー体３に保持する構造である。なお、本明細書においては、ウェブ包装袋２の保持構造を、単に保持構造とよぶことがある。また、本明細書において、ウェブ包装袋２をカバー体３に保持してなるものを保持物１と呼ぶ。なお、図１Ａ、図１Ｂ、図２Ａでは、説明の便宜上、ウェブ包装袋２に収容されたウェブ重畳体６の記載を省略する。このことは、図６、図７Ａ、図８、図９Ａ、図１０Ａ、図１０Ｂ、図１０Ｃ、図１１Ａについても同様である。
【００１４】
（ウェブ包装袋２）
ウェブ包装袋２は、包装袋本体４を備えるとともに、ウェブ重畳体６を収納可能に構成されウェブ９を取り出し可能な取出口５を所定の位置に備えて構成される。通常、ウェブ包装袋２は、その内部にウェブ重畳体６を収納した状態で使用される。
【００１５】
（包装袋本体４）
包装袋本体４は、ウェブ重畳体６を内部に収納可能な袋状に形成されており、ウェブ重畳体６を収容した状態でウェブ重畳体６の上面側となる所定位置に取出口５よりも大口径の開口を形成して包装袋開口部７を形成している。
【００１６】
（取出口形成部材８）
図１等に例示したウェブ包装袋２には、包装袋本体４に取出口形成部材８が取り付けられており、この取出口形成部材８に取出口５が開口形成されている。具体的には、取出口５とされることになる開口を形成した取出口形成部材８が包装袋本体４とは別体にて調製される。そして、包装袋本体４の包装袋開口部７に取出口５の位置をあわせて包装袋本体４に取出口形成部材８を配置し、取出口形成部材８が包装袋本体４に取り付けられることで取出口５を所定位置に形成されたウェブ包装袋２が形成される。ウェブ包装袋２において、包装袋本体４への取出口形成部材８の取り付けは、接着剤による接着や、熱による接着（熱融着又はヒートシールということがある）などの方法を適宜用いて具体的に実現できる。なお、取出口形成部材８は、取出口５の形状を安定にする点で、樹脂材料などを用いて包装袋本体４よりも堅硬に調製されることが好ましい。樹脂材料としては、例えば、後述するカバー本体１３を形成する際に使用可能なものを挙げることができる。
【００１７】
（取出口５）
取出口５は、ウェブ９を取出し可能な大きさと形状と有するものであれば特に限定されるものではない。例えば、取出口５の形状は、図１等のように円形状である場合に限定されず、楕円形でも多角形状など適宜形状を選択可能である。
【００１８】
（ウェブ重畳体６）
ウェブ重畳体６は、ウェブを重畳してなる構造体であり、図１等に示す例では、複数枚のウェブ９を重畳してなる。ウェブ重畳体６において、ウェブ９の重畳パターンは特に限定されるものではないが、ウェブ重畳体６を収容したウェブ包装袋２からウェブ９を適宜取り出すことが可能となるような重畳パターンが好適に選択される。
【００１９】
ウェブ重畳体６におけるウェブ９の重畳パターンとしては、ウェブ折り畳み体１０を重畳した重畳パターンを採用することができる。具体的に、このような重畳パターンとしては、図１、図２等に示すように、個々のウェブ９をＺ字状に折り畳んで（Ｚ折りにして）ウェブ折り畳み体１０ａ（１０）を作成し、ウェブ折り畳み体１０（図２の例ではウェブ折り畳み体１０ａ）を端部位置でオーバーラップさせつつ順次重畳して形成される重畳パターンを採用することができる。なお、このような重畳パターンを構成するウェブ折り畳み体１０の折り畳み構造は、上記したＺ折りによって形成される構造に限定されない。重畳パターンを構成するウェブ折り畳み体１０は、ウェブ９が引き取られた時に次のウェブ９が順次連続して引き上げられてポップアップされるような構造を有していればよい。すなわち、例えば、ウェブ折り畳み体１０は、図４Ａ、図４Ｂに示すような、Ｗ字状に折り畳まれて（Ｗ折りにして）形成されていてもよい。また、ウェブ折り畳み体１０を重畳するにあたり、上記図２に示すようなＺ折りを施された折り畳み体１０ａや図４Ａ、図４Ｂに示すようなＷ折りを施された折り畳み体１０ｂのみを重畳するものに限られず、図４Ｃ、図４Ｄに示すように、Ｗ折りを施されたウェブ折り畳み体１０ｂとＺ折りを施されたウェブ折り畳み体１０ａを交互に重畳する重畳パターンが用いられよいし、これら以外の折り構造を有するウェブ折り畳み体１０を重畳する重畳パターンが用いられてもよい。さらには、ウェブ折り畳み体１０ｂとＺ折りを施されたウェブ折り畳み体１０ａ以外の様々な折り方法の異なるウェブ折り畳み体１０をウェブ折り畳み体１０ｂとＺ折りを施されたウェブ折り畳み体１０ａに織り交ぜて重畳する重畳パターンが用いられてもよい。
【００２０】
なお、ウェブ重畳体６を構成するウェブは、ウェブ重畳体６の状態において１つのウェブ９の端で他の１つのウェブ９の端に部分的に繋がって連なった連続状態とされてもよい。このようなウェブ重畳体は、たとえば、図３Ａに示すように長尺なウェブ原反１１に所定間隔でミシン目を入れること等によって部分的にウェブ原反１１を切断して分離予定部１２を形成しておき、さらに図３Ｂに示すように分離予定部１２を形成したウェブ原反１１をつづら折りにすることで調製することができる。このようなウェブ重畳体６は、隣り合う分離予定部１２，１２間の部分で１つのウェブ９をなしていることから、複数のウェブ９が部分的に繋がった構造となっているのである。このウェブ重畳体６を収容したウェブ包装袋２においては、ウェブ包装袋２からウェブ９を引き出すと、ウェブ９とそれに連なるウェブ９とのつなぎ目にあたる分離予定部１２まで取り出されてくる。そして、その分離予定部１２の位置でウェブ９とウェブ９とが切断され、個々のウェブ９を取り出すことが可能となる。このように、ウェブ積層体６は、独立したウェブを複数枚折り重ねて構成されてよく、また、連続したウェブで構成されていてもよい。
【００２１】
（ウェブ９）
ウェブ９は、柔軟に変形可能に構成される。ウェブ９の厚みは、適宜選択可能であるが、柔軟性を考慮して、１ｍｍ以下のものを好適に選択される。ウェブ９は、具体的に、平面視矩形状の形状に形成されているが、これに限定されず、平行四辺形状など適宜形状に形成されてよい。このようなウェブ９は、例えば長尺なウェブ原反１１の長手方向を横切る方向にウェブ原反１１を適宜切断することで形成することができる（図示しない）。
【００２２】
ウェブ９は、その素材を特に限定されるものではなく、紙、織布、合成樹脂、不織布等を好適に用いることができる。ウェブ９は、多数の繊維の集合体で構成されている繊維ウェブで形成されることが好ましい。この場合、その繊維ウェブを構成する繊維長さは、特に限定されず、いわゆる長繊維、短繊維、またはそれらの組み合わせを、適宜選択可能である。
【００２３】
ウェブ重畳体６を構成するウェブ９は、薬液などの液体を含浸させる工程を施さずに調製されその素材となるもの単独で構成されたドライタイプのウェブを用いられてよいほか、素材単独で構成されたウェブに薬液などの液体を含浸させたウェットタイプのウェブとして構成されてもよいし、粒子を担持させたウェブ９として構成されてもよい。
【００２４】
ウェブ９が、液体を含浸したウェットタイプのウェブで構成されている場合、ウェブ９としては、具体的に、ウェットティッシュを挙げることができる。
【００２５】
（カバー体３）
カバー体３は、カバー本体１３を備えて構成される。
【００２６】
（カバー本体１３）
カバー本体１３は、ウェブ包装袋２の包装袋本体４よりも堅硬に形成されており、所定位置に開口部１４が形成されている。
【００２７】
カバー本体１３の材質は、包装袋本体４よりも堅硬に形成可能であれば、木材、金属、紙、樹脂材料など適宜選択可能である。樹脂材料としては、例えば、アクリル樹脂、ポリオレフィン樹脂、ポリカーボネート樹脂などを用いることができる。
【００２８】
また、カバー本体１３は、光透過性を有することが好ましく、透明であることがより好ましい。カバー本体１３が透明であると、カバー体３にどのようなウェブ包装袋２が保持されているか外観視にて識別することが容易となるうえ、ウェブ包装袋２に品質表示などの印刷がなされている場合には、そのような品質表示についても外観視にて認識することができるようになる。
【００２９】
カバー本体１３を透明とすることが可能である点を考慮すると、カバー本体１３の材質として、上記した各種の材質のなかでも、樹脂材料が選択されていることが好適である。
【００３０】
（カバー本体１３の構成例）
カバー本体１３は、図１の例では、一面を開口させた筐体形状に形成されており、すなわち、四角形の平板状に形成された保持板１５とその保持板１５の側周囲に沿って側壁１６を備えて形成され、カバー本体１３の側壁１６の端部のうち保持板１５との非接触端部側で開口した形状に形成されている。
【００３１】
（差入部１７）
カバー本体１３には差入部１７が所定位置に形成される。差入部１７は、ウェブ包装袋２をカバー本体１３内に差し入れる差入口１８を形成する部分であり、差し入れ方向（図１、図２等において矢印Ｆで示す方向）前方側に開口部１４が位置するように形成される。
【００３２】
差入口１８の形状や大きさは、ウェブ包装袋２をカバー本体１３内に差し入れ可能な形状や大きさであれば特に限定されるものではない。ただし、ウェブ重畳体６の厚み方向に沿った方向を法線方向とする平面に対して差入口１８とウェブ重畳体６をそれぞれ平行投影して形成される投影像の大きさを対比したとき、差入口１８の投影像の大きさのほうがウェブ重畳体６の投影像の大きさよりも大きいことが好適である。この場合、ウェブ重畳体６の厚み方向に沿った方向を差し入れ方向Ｆと一致させることが容易となる。ここで、ウェブ重畳体６の厚み方向がウェブ包装袋２の差し入れ方向Ｆに沿った方向と異なる場合、ウェブ重畳体６に斜め方向に応力を受けやすくなってウェブ重畳体６の重畳パターンが崩れやすくなる。この点、ウェブ重畳体６の厚み方向に沿った方向がウェブ包装袋２の差し入れ方向Ｆと一致していると、ウェブ重畳体６を構成するウェブ９の重畳パターンを大きく崩さずにカバー本体内にウェブ包装袋を差入れることができるようになる。
【００３３】
なお、上記では、カバー本体１３をなす筐体形状の構造体の一面を全面的に開口して差入部１７を形成しているが、差入部１７はこれに限定されず、カバー本体１３の後方側に背面板（図示しない）を設け、背面板の一部を開口させて形成されてもよい。ただし、本明細書においては、前後方向に関し、差し入れ方向Ｆ前方側（矢印Ｆの矢先側）を前方向とし、前方向とは逆向きの方向を後方向とする。
【００３４】
（開口部１４）
開口部１４は、差入部１７に対してウェブ包装袋２の差し入れ方向Ｆ前方側（順方向側）に形成されており、また、差入口１８よりも小さく形成されている。図１の例では、開口部１４は、保持板１５の所定位置に形成されている。
【００３５】
このように、カバー体３おいては、カバー本体１３に差入部１７と開口部１４とが差入方向Ｆに沿って並設されており、ウェブ包装袋２を差入部１７から差入れてカバー体３に保持させる際、ウェブ包装袋２を差入方向に沿って移動させて取出口５を開口部１４の位置にあわせることが容易となる。
【００３６】
また、開口部１４は、ウェブ包装袋２の取出口５よりも大きく形成されている。さらにカバー体３において、開口部１４は、ウェブ包装袋２をカバー体３に保持した際に開口部１４からウェブ包装袋２の取出口５を臨ませることができるような位置に形成される。
【００３７】
（カバー本体１３の形状についての他形態）
図１に示すカバー本体１３は、一例であって、カバー本体１３の形状は、筐体状に限定されず、取出口５を開口部１４から臨ませるようにウェブ包装袋２を所定位置に固定可能であれば、特に限定されるものではない。例えば、カバー本体１３は、図１の例のような平板状に形成された保持板１５に開口部１４を有する場合に限定されず、保持板１５は半円筒形状等といった所定形状を有する曲面板であってもよい。保持板１５が半円筒形状の曲面板である場合、図５に示すように、カバー本体１３は、内部を中空に形成された半円柱状体の形状をなしてよいことになる。このとき、そのカバー本体たる半円柱状体のうちの彎曲面側の部分１９が保持板１５をなし、保持板１５に開口部１４が設けられ、半円柱状体のうちの平面側の部分２０の少なくとも一部を開口させて差入口１８を形成して差入部１７が形成されていることとなる。
【００３８】
（保持構造の形成）
保持構造は、ウェブ包装袋２をカバー本体３に保持させて保持物１が形成されることにより形成される。保持構造は、例えば、次のように形成される。ウェブ包装袋２が、向合い部２１（図２Ａ中では、保持物１の平面視上、２点鎖線で囲まれた領域で特定される部分）を形成するように、カバー本体１３に差し入れられる。ついで、ウェブ包装袋２をカバー本体１３に取り付ける。こうして、保持構造が形成される。また、このとき保持構造を有する保持物１も形成されている。
【００３９】
図１の例では、ウェブ包装袋２の取出口５をカバー本体１３の保持板１５の開口部１４に向かい合わせるようにウェブ包装袋２を差入部１７からカバー本体１３内に差し入れ、保持板１５に対してウェブ包装袋２を取り付けることとなる。そして、形成された保持構造においては、カバー体１３の外側から向合い部２１に対応する部分を観察した場合にカバー本体１３の開口部１４の奥にウェブ包装袋２の取出口５が視認され、すなわち、カバー本体１３の開口部１４からウェブ包装袋２の取出口５が臨んでいる。なお、図１に示される保持構造では、カバー本体１３の平面視上、開口部１４内に取出口５全体が入り込んでいる。
【００４０】
（向合い部２１）
向合い部２１は、保持物１に特定される所定の部分である。また、向合い部２１は、取出口形成部材８の取出口５をカバー本体１３の開口部１４から臨ませるようにウェブ包装袋２がカバー本体１３に差し入れられるとともに取出口形成部材８とカバー本体１３とが向かい合わされて形成される部分として特定される。
【００４１】
ところで、保持構造においては、取出口形成部材８の少なくとも一部がカバー本体１３に直接向かい合っていればよい。そして、保持構造が、取出口形成部材８の一部とカバー本体１３とを直接向かい合わせた構成を備えている場合、向合い部２１は、取出口形成部材８がカバー本体１３に直接向かい合う部分と、取出口形成部材８がカバー本体１３に包装袋本体４を介して間接的に向かい合う部分の両部分を含んで構成され、すなわち取出口形成部材８とカバー本体１３とが向かい合わされて形成される部分全体として特定される。このように、向合い部２１は、取出口形成部材８とカバー本体１３とが直接及び／又は間接に向かい合わされて形成される部分で構成される。
【００４２】
（接触部２２）
保持構造においては、向合い部２１の少なくとも一部においてウェブ包装袋２とカバー本体１３とが接触して接触部２２が形成される。向合い部２１において接触部２２が形成されていると、ウェブ包装袋２の取出口５がカバー本体３の開口部１４に近接又は接触した状態を維持することが容易となる。また、ウェブ包装袋２における向合い部２１に対応する部分は、取出口形成部材８の存在する部分であることから、ウェブ包装袋２のなかでも変形しにくい硬堅な部分であり、ウェブ包装袋２の形状変形に伴うウェブ包装袋２とカバー本体３と接触状態の解除が生じにくくなる。
【００４３】
接触部２２は、向合い部２１に形成されていれば、その形成位置を限定されるものではないが、カバー本体１３における開口部１４の周縁部２３内の少なくとも一部に対してウェブ包装袋２が接触して形成されていることが好ましく、縁２５の少なくとも一部に対してウェブ包装袋２が接触して形成されていることがより好ましい。
【００４４】
（周縁部２３）
なお、開口部１４の周縁部２３は、カバー本体１３における保持板１５の開口部１４の縁２５を含み開口部１４の周囲の所定領域で構成される部分（図２等において斜線を附した領域で特定される部分を含む部分）である。具体的に、開口部１４の周縁部２３はその内側端２３ａと外側端２３ｂを次のように特定される部分である。開口部１４の周縁部２３の内側端２３ａについては、カバー本体１３の開口部１４の縁２５を周縁部２３の内側端２３ａとされる。開口部１４の周縁部２３の外側端２３ｂについては、開口部１４の形状をそのままに面積が２倍となるように拡大した形状で特定される拡大像を想定し、その拡大像の中央を開口部１４の中央に合わせつつ拡大像を配置した状態を想定した場合に拡大像の外周輪郭の位置が周縁部２３の外側端２３ｂとされる。なお、拡大像の中央及び開口部１４の中央は、それぞれ拡大像の外周輪郭、開口部１４の縁２５で特定される図形についての重心点を示すものとする。
【００４５】
（固定構造）
さらに、保持構造においては、ウェブ包装袋２とカバー本体１３とを相互に固定する固定構造が向合い部２１に形成されている。固定構造が向合い部２１に形成されていることで、保持構造において、接触部２２を形成した状態が効果的に維持される。固定構造は、係止、嵌合、螺着など、その固定機構を特に限定されるものではない。また、固定構造は、ウェブ包装袋２とカバー本体１３との着脱可能性を限定されるものではない。したがって、固定構造は、ウェブ包装袋２とカバー本体１３とを相互に着脱自在に固定する構造であってもよいし、ウェブ包装袋２とカバー本体１３とを相互に着脱不能に固定する構造であってもよい。
【００４６】
なお、保持構造において、固定構造が向合い部２１のなかでも接触部２２に形成されていることが好ましい。この場合、保持構造において、接触部２２を形成した状態がより一層効果的に維持される。
【００４７】
（固定構造の構成）
固定構造の具体例について、図１，図２に示す例を用いて更に説明する。図１，図２の例では、固定構造は、ウェブ包装袋２とカバー本体１３とを互いに係わり合わせてウェブ包装袋２をカバー本体１３に取り付けてなる係止構造である。ここに、固定構造をなす係止構造は特に限定されるものではないが、この例に示す係止構造は、鉤片２４をカバー本体１３の開口部１４の縁２５に掛けることで形成される掛け止め構造である。
【００４８】
（鉤片２４）
鉤片２４は、ウェブ包装袋２の取出口形成部材８に設けられており、且つ、ウェブ包装袋２のうち向合い部２１に対応する部分内に特定される所定位置に、外方に向かって突設されている。鉤片２４が、包装袋本体４よりも堅硬な取出口形成部材８に形成されていると、鉤片２４の基端が安定し、また、取出口形成部材８の形成の際に鉤片２４を一体的に成形することが可能となる。
【００４９】
取出口形成部材８における鉤片２４の形成位置としては、開口部１４から取出口５が臨むようにウェブ包装袋２とカバー本体１３を互いに所定の位置関係にして配置して保持構造を形成した際に、カバー本体１３の開口部１４の縁２５に当接するような位置が選択される。また、鉤片２４は、取出口形成部材８のなかでも取出口５の周囲位置に設けられていることが好ましい。保持構造において、取出口５は開口部１４から臨むような位置とされることから、鉤片２４が、取出口形成部材８のなかでも取出口５の周囲位置に設けられていると、鉤片２４をカバー本体１３の開口部１４の縁２５に対してより確実に係止可能とすることができ、開口部１４から取出口５が臨む状態をより確実に維持することができるようになる。
【００５０】
また、鉤片２４は、取出口５の周囲位置のなかでも取出口５の縁に沿って形成されていることが好ましい（図示しない）。この場合、取出口５の縁と鉤片２４との間に段差を形成しないようにすることができ、取出口形成部材８の形状の単純化が促され、取出口形成部材８の成形が容易となる。
【００５１】
（鉤片２４の形状）
鉤片２４は、図２Ｃに例示するように、ウェブ包装袋２の取出口形成部材８上に基端を有する基部２６と基部２６の突端側に形成された鉤部２７とを備えて形成されている。鉤部２７は、取出口５の中心（図２Ａにおいて位置Ｃ）から外に向かう方向（図２Ａ、図２Ｃにおいて矢印Ｒ方向）に向かって突出した形状に形成される。
【００５２】
鉤片２４は、カバー本体１３の開口部１４に対して係止可能に構成されていれば、その形状を特に限定されるものではないが、鉤片２４の形状については、図２Ａに示すように、保持物１の平面視上、カバー本体１３における開口部１４の縁２５の形状に応じた形状とされて、縁２５に対して面接触可能な形状とされていることが好ましい。この場合、カバー本体１３の開口部１４に対して鉤片２４を係止した際に、鉤片２４の鉤部２７が開口部１４によりしっかりと接触できるようになり、接触部２２のうち鉤片２４と開口部１４との接触部分がより効果的に維持される。
【００５３】
（鉤片２４の個数）
図１、図２の例では、鉤片２４は、取出口５の周囲に２つ形成されているが、これに限定されない。鉤片２４は、１つでもよいし多数形成されていてもよい。
【００５４】
（係止構造の形成）
係止構造の例をなす掛け止め構造は次のように形成できる。ウェブ包装袋２をカバー本体１３内に差し入れ、その際に、鉤片２４を開口部１４の縁２５の位置に位置合わせする。さらに、ウェブ包装袋２をカバー本体１３の保持板１５内面側に押し付ける。このとき、鉤片２４は、開口部１４の縁２５に接触するとともに、開口部１４から取出口５の中心Ｃに向かう方向（図２Ａや図２Ｃにおいて矢印Ｒとは逆向きの方向）に、押圧力を受ける。鉤片２４は、取出口５の中心Ｃに向かう方向に押圧力をうけると、図２Ｃに示すように、基部２６がやや取出口５の中心Ｃに向かう方向に倒れてバネ的に変形する。図２Ｃにおいて、変形時の鉤片２４は、破線で示される。このとき鉤片２４は、取出口５の中心Ｃから外側に向かう方向（図２Ａ、図２Ｃにおいて矢印Ｒ方向）に付勢される。そして、さらに、ウェブ包装袋２がカバー本体１３の保持板１５に押し付けられると、鉤片２４の先端の鉤部２７が保持板１５の前面よりも前方側に位置するまで鉤片２４が押し込まれる。すると、鉤片２４の復元力により鉤部２７の先端が開口部１４の縁２５よりも外側に位置することとなり、ウェブ包装袋２が鉤片２４でカバー本体１３の開口部１４に接触しながらカバー体３に係止されることとなる。こうして図２の例では、鉤片２４がカバー本体１３の開口部１４の縁２５の前端（差入方向前端）に掛けられてウェブ包装袋２がカバー本体に掛け止めされることとなり、係止構造が形成される。なお、このとき、保持構造も形成されている。
【００５５】
（保持構造の機能）
保持構造は、向合い部２１における少なくとも一部においてカバー本体１３における保持板１５とウェブ包装袋２を接触させて接触部２２を形成するとともに向合い部２１に固定構造を形成していることから、保持板１５の開口部１４の縁２５やその近傍で直接にウェブ包装袋２をカバー体３に接触固定させた構成を形成しやすくなっている。このように保持構造では、保持板１５の開口部１４の近傍で直接にウェブ包装袋２をカバー体３に接触固定させていることから、ウェブ包装袋２をカバー体３に保持した状態でウェブ包装袋２を構成するウェブ９の枚数が少なくなってウェブ包装袋２全体の嵩が低下してもウェブ包装袋２が開口部１４から離れる虞が効果的に抑制されることとなり、カバー体３の開口部１４からウェブ９を容易に取り出せる状態が効果的に維持される。また、この保持構造は、ウェブ包装袋２をカバー体３に直接固定して形成されており、ウェブ包装袋２がカバー本体１３内で動く虞が抑制される。
【００５６】
（蓋体２８）
ウェブ包装袋２の保持構造を構成するウェブ包装袋２及び／又はカバー体３には、図１０Ａから図１０Ｃに例示するように、蓋体２８（２８ａ、２８ｂ）が設けられていることが好ましい。ウェブ包装袋２及び／又はカバー体３に蓋体２８が設けられていると、外部から塵や埃がウェブ包装袋２内に浸入してウェブ重畳体６に付着してしまう虞が低減される。なお、図１０Ａには、カバー体３に蓋体２８ａ（２８）が設けられている場合の例が示されている。図１０Ｂには、ウェブ包装袋２に蓋体２８ｂ（２８）が設けられている場合の例が示されている。また、図１０Ｃには、蓋体２８ｂを設けたウェブ包装袋２をカバー体３に保持した保持物１が示されている。
【００５７】
カバー体３に蓋体２８を設ける形態について、図１０Ａの例では、蓋体２８ａが矢印Ｑ１方向にヒンジ状に開閉可能となるようにカバー体３に取り付けられて固定されている。これは、従前より公知のヒンジ部材で蓋体２８ａをカバー体３に取り付けることで具体的に実現できる。ただし、カバー体３に蓋体２８を設ける形態は、図１０Ａに示す形態に限定されず、例えば蓋体２８をカバー体３に対して着脱自在に取り付けられて蓋体２８とカバー体３とが分離可能とされてもよい（図示しない）。また、保持物１において、カバー体３の開口部１４よりも前方（差し入れ方向前側）に突出する部分が存在する場合、蓋体２８には、所定の位置に凹部３２が形成されていることが好ましい。図１０Ａの例では、蓋体２８には、カバー体３の開口部１４よりも前方に突出する部分となりうる鉤片２４に対応する部分に凹部３２が形成されている。
【００５８】
ウェブ包装袋２に蓋体２８を設ける形態について、図１０Ｂ、図１０Ｃの例では、蓋体２８ｂが矢印Ｑ２方向にヒンジ状に開閉可能となるようにウェブ包装袋２に取り付けられて固定される。これは、従前より公知のヒンジ部材で蓋体２８ａをウェブ包装袋２の取出口形成部材８の所定位置に取り付けることで具体的に実現できる。ただし、ウェブ包装袋２に蓋体２８を設ける形態は、図１０Ｂに示す形態に限定されず、蓋体をカバー体に対して着脱自在に取り付けられて蓋体とカバー体とが分離可能とされてもよい（図示しない）。この場合、蓋体２８ｂの大きさは、開口部１４よりも小さいことが、ウェブ包装袋２をカバー体３に保持させた状態にあってもより確実に蓋体２８ｂを開閉自在とすることができて好ましい。
【００５９】
なお、ウェブ包装袋２に収容されるウェブ重畳体６を構成するウェブ９がウェットティッシュである場合には、蓋体２８は、ウェブ包装袋２とカバー体３のうち少なくともウェブ包装袋２に設けられていることが好適である。この場合、より確実にウェブ包装袋を密閉状態とすることができるため、ウェットティッシュの乾燥が効果的に防止される。
【００６０】
（保持物１の使用状態）
上記したようにウェブ包装袋２をカバー体３に保持して得られた保持物１は、カバー体３の開口部１４を上方側に向けた状態として使用されてよいし、開口部１４を立てた状態として使用されてよい（図示しない）。保持物１の開口部１４を立てた状態は、カバー体３の保持板１５を立てた状態（保持板１５の厚み方向と上下方向とが不一致となる状態）とすることで形成することができる。そのほかにも、保持物１は、カバー体３のカバー本体１３に、フックなどの吊るし具を受ける受け孔を形成した部材を取り付けて、壁面に適宜とりつけられた吊るし具に吊るし掛けされた状態とされて使用されてもよい（図示しない）。なお、本明細書において、上下方向について、保持物の重力方向に一致する方向を下方向とし、保持物の重力方向とは真逆の方向を上方向とする。
【００６１】
（係止構造の他例）
なお、上記に示す係止構造は、鉤片を開口部の縁に掛け止めしてなる掛け止め構造で構成されているが、これに限定されない。固定構造をなす係止構造は、図１１に示すような嵌合構造であってもよい。嵌合構造は、ウェブ包装袋２の突片３３をカバー本体１３の開口部１４に嵌めこみ係止して形成される。
【００６２】
固定構造が嵌合構造である場合、ウェブ包装袋２の突片３３は、図１１Ａ、図１１Ｂに示すように、ウェブ包装袋２における取出口形成部材８の所定位置且つ向合い部２１に対応する部分の所定位置に形成されており、且つ、カバー本体１３の開口部１４の縁２５に嵌合可能な形状に形成されている。
【００６３】
嵌合構造は、突片３３をカバー本体１３の開口部１４の縁２５に嵌合させてウェブ包装袋２をカバー本体１３に係止することで形成される。図１１Ａから図１１Ｃに示す例では、突片３３を縁２５に内嵌合させている。このように突片３３をカバー本体１３の開口部１４の縁２５に嵌合させた場合に、突片３３は、開口部１４の縁２５を構成する面（縁面）に対して面接触し、開口部１４の縁２５と突片３３との間で摩擦が生じ、ウェブ包装袋２がカバー本体１３に係止固定される。
【００６４】
［第２実施形態］
ウェブ包装袋２の保持構造においては、向合い部２１に形成される固定構造は、上記したような係止構造に限定されるものではない。固定構造は、次のような接着構造であってもよい。ここに、ウェブ包装袋２の保持構造が、固定構造として接着構造を有する場合を、第２実施形態と呼ぶ。第２実施形態では、固定構造を除く他の構成については、第１実施形態と同様に構成されてよい。
【００６５】
接着構造は、図７Ａから図７Ｃに示すように、ウェブ包装袋２とカバー本体１３とを互いに接着して接着部３４を形成してなる構造である。接着部３４は、ウェブ包装袋２を構成する包装体本体４とカバー本体１３とが接着されることで形成されてよく、また、図７Ａから図７Ｃに示すようにウェブ包装袋２を構成する取出口形成部材８とカバー本体１３とが接着されることで形成されてもよい。
【００６６】
接着部３４の形成方法は、特に限定されず、例えば、図６、図７Ｃに示すような接着層２９を介してウェブ包装袋２とカバー本体１３とを互いに接着する方法、ウェブ包装袋２とカバー本体１３とを互いにヒートシール（熱融着）する方法、超音波でウェブ包装袋２とカバー本体１３とを互いに溶着する方法（超音波溶着法）、両面テープ材を介してウェブ包装袋２とカバー本体１３とを互いに接着する方法、などを挙げることができる。なお、両面テープ材は、フィルム材などで構成される台シートの両面上に粘着層を形成してなるものであり、市販品を適宜用いられてよい。
【００６７】
例えば、接着部２４が、接着層及び／又は両面テープ材を介してウェブ包装袋とカバー本体とを互いに接着される場合、接着層及び／又は両面テープ材は、ウェブ包装袋２の向合い部２１に対応する部分及び／又はカバー本体１３の向合い部２１に対応する部分に形成されていればよい。例えば、図６に示す例では、ウェブ包装袋２の外面側の所定位置であり、かつ、ウェブ包装袋２のうち向合い部２１に対応する部分内に定められる所定位置に接着層２９が設けられている。なお、図６に示す例では、接着層２９が取出口形成部材８に直接設けられているが、包装袋本体４に設けられていてもよい。このようなウェブ包装袋２は、図７Ｃに示すように、接着層２９をカバー本体１３に当接させることでカバー本体１３に接着され、接着部３４が形成される。
【００６８】
固定構造が接着構造である場合、向合い部２１内の所定部分に接着部３４が形成されている。接着部３４は、ウェブ包装袋２とカバー本体１３とを所定の位置関係となるように配置して保持構造を形成する際に、カバー本体１３の開口部１４の周囲にウェブ包装袋２を接着して形成されることが好ましく、周縁部２３にウェブ包装袋２を接着して形成されることがより好ましい。なお、ウェブ包装袋２とカバー本体１３との接着位置のずれを抑制する点で、接着部３４は、包装袋本体４よりも硬堅な取出口形成部材８とカバー体１３とが直接接着することで形成されることが好ましい。
【００６９】
また、ウェブ包装袋２において、接着部３４は、第１実施形態に示す係止構造と併設されてもよい。
【００７０】
接着部２９は、取出口形成部材８や包装袋本体４等といった接着部３４を形成しようとする対象とされる各種部材における所定の箇所に、適宜選択された公知の接着剤等を塗布して形成することができる。
【００７１】
（接着構造の形成）
固定構造をなす接着構造は、図７Ａから図７Ｃに示すように、取出口５と開口部１４を位置あわせしつつウェブ包装袋２とカバー本体１３とを互いに接着して接着部３４を形成することで形成される。このとき、保持構造も形成されている。なお、図７の例では、保持構造は、カバー本体１３における保持板１５の開口部１４の周囲でウェブ包装袋２を少なくとも接着部３４の部分でカバー本体１３に接触させて接触部２２を形成するとともに接触部２２に固定構造をなす接着構造を形成しており、向合い部２１のなかでも接触部２２に固定構造を形成している。
【００７２】
［第３実施形態］
ウェブ包装袋２の保持構造においては、固定構造は、上記第１実施形態や第２実施形態に示したような係止構造や接着構造に限定されるものではない。固定構造は、次のようなかしめ構造であってもよい。ここに、ウェブ包装袋２の保持構造が、固定構造としてかしめ構造を有する場合を、第３実施形態と呼ぶ。第３実施形態では、固定構造を除く他の構成については、第１実施形態と同様に構成されてよい。
【００７３】
固定構造がかしめ構造である場合、ウェブ包装袋２には、図８、図９Ａ，図９Ｂに示すように、向合い部２１に対応する部分内に特定される所定位置にボス３０が外方に向かって突設されている。また、カバー本体１３には、ウェブ包装袋２のボス３０に向かい合わせとなる位置に通孔３１が形成されている。このとき、ボス３０の長さは、ボス３０がカバー本体１３の通孔３１を貫通できるような長さを選択されている。
【００７４】
図８、図９の例に示すように、ボスと通孔の形成位置について、ボス３０は、ウェブ包装袋２において、取出口形成部材８における取出口５の周囲の所定位置に形成されていることが好ましい。また、通孔３１は、ウェブ包装袋２とカバー本体１３とを所定の位置関係となるように配置して保持構造を形成する際に、カバー本体１３の周縁部２３内の所定位置に設けられていることが好ましい。このようにボス３０と通孔３１が位置決めされて形成されていると、ウェブ包装袋２をカバー本体１３の周縁部２３の少なくとも一部により確実に当接させることができる。
【００７５】
ボス３０と通孔３１の組み合わせ数は、図８、図９に示すように複数組設けられていることがウェブ包装袋２をカバー本体１３により強く固定することができて好ましい。また、ボス３０は、第１実施形態に示す鉤片２４や第２実施形態に示す接着層などと併設されてもよい。
【００７６】
（かしめ構造の形成）
固定構造をなすかしめ構造は、図９Ｂに示すように、カバー本体１３の通孔３１にボス３０を貫通させるとともにボス３０の先端３０ａをかしめてウェブ包装袋２をカバー本体１３に対してかしめ止めして形成される。
【００７７】
かしめ止め方法は、従前より公知の方向等を適宜選択可能である。例えば、ボス３０が熱可塑性樹脂で形成されている場合、カバー本体１３の通孔３１にボス３０を貫通させた後、ボス３０の先端３０ａを溶融させて冷却することで、かしめ構造を形成することができる。このとき、保持構造も形成されている。そして、図８、図９の例では、保持構造は、カバー本体１３における保持板１５の開口部１４の周縁部２３でウェブ包装袋２を少なくともボス３０の先端近傍部分でカバー本体１３に接触させて接触部２２を形成するとともに接触部２２に固定構造をなす接着構造を形成しており、向合い部２１のなかでも接触部２２に固定構造を形成している。
【産業上の利用可能性】
【００７８】
本発明は、ウェットティッシュ等のウェブを多数重ねたウェブ重畳体を柔軟な袋体に収納したウェブ包装袋をカバー体に保持するために有益である。
【符号の説明】
【００７９】
１      保持物
２      ウェブ包装袋
３      カバー体
４      包装袋本体
５      取出口
６      ウェブ重畳体
７      包装袋開口部
８      取出口形成部材
９      ウェブ
１０    ウェブ折り畳み体
１０ａ  Ｚ折りを施されたウェブ折り畳み体
１０ｂ  Ｗ折りを施されたウェブ折り畳み体
１１    ウェブ原反
１２    分離予定部
１３    カバー本体
１４    開口部
１５    保持板
１６    側壁
１７    差入部
１８    差入口
１９    彎曲面側の部分
２０    平面側の部分
２１    向合い部
２２    接触部
２３    周縁部
２３ａ  周縁部の内側端
２３ｂ  周縁部の外側端
２４    鉤片
２５    縁
２６    基部
２７    鉤部
２８、２８ａ、２８ｂ    蓋体
２９    接着層
３０    ボス
３０ａ  ボスの先端
３１    通孔
３２    凹部
３３    突片
３４    接着部
【図１】
2014094768.tif 000003
【図２】
2014094768.tif 000004
【図３】
2014094768.tif 000005
【図４】
2014094768.tif 000006
【図５】
2014094768.tif 000007
【図６】
2014094768.tif 000008
【図７】
2014094768.tif 000009
【図８】
2014094768.tif 000010
【図９】
2014094768.tif 000011
【図１０】
2014094768.tif 000012
【図１１】
2014094768.tif 000013